(57)【特許請求の範囲】
【請求項１】
機体と、
この機体に回転可能に設けられ、所定方向への回転により圃場の農作物の側方の土を排除すると同時に農作物の所定部位を切断する排土切断体とを具備し、
前記排土切断体は、
上下方向の回転中心軸線を中心として所定方向に回転する回転部と、
この回転部の下端部から、上端から下端に向うに従って徐々に前記回転中心軸線から離反するように斜め下方に向って突出する細長板状の排土部と、
この排土部の下端部から、前記回転中心軸線から離反する方向に向って水平状に突出する切断部とを有する
ことを特徴とする農作業機。
【請求項２】
機体と、
この機体に互いに離間対向した状態で回転可能に設けられ、互いに異なる方向への回転により圃場の農作物の側方の土を排除すると同時に農作物の所定部位を切断する左右一対の排土切断体とを具備し、
前記排土切断体は、
上下方向の回転中心軸線を中心として所定方向に回転する回転部と、
この回転部の下端部から、上端から下端に向うに従って徐々に前記回転中心軸線から離反するように斜め下方に向って突出する細長板状の排土部と、
この排土部の下端部から、前記回転中心軸線から離反する方向に向って水平状に突出する切断部とを有する
ことを特徴とする農作業機。
【請求項３】
排土切断体は、左右位置調節可能になっている
ことを特徴とする請求項１または２記載の農作業機。
【請求項４】
排土切断体の後方位置で農作物を圃場から地上に持上げ搬送する搬送手段が、機体に設けられている
ことを特徴とする請求項１ないし３のいずれかに記載の農作業機。
【請求項５】
機体を支持する接地輪が、圃場の農作物があった部分に接地して移動するようになっている
ことを特徴とする請求項４記載の農作業機。
【発明の詳細な説明】
【０００１】
【発明の属する技術分野】
本発明は、構成を簡単にできる農作業機に関する。
【０００２】
【従来の技術】
従来の農作業機は、例えば実開昭５４−２６４１号公報等に記載されているように、所定方向に回転して圃場の農作物（例えば長ねぎ）の側方の土を排除する排土体（排土ロータリ）を備え、この排土体の後方位置に農作物の根部を切断する切断体（回転刃）が回転自在に配置されている。
【０００３】
【発明が解決しようとする課題】
しかしながら、上記従来の農作業機のように、２つの排土体および切断体をそれぞれ別々に設けた構成では、構成が複雑になりがちである、という問題がある。
【０００４】
本発明は、このような点に鑑みなされたもので、構成を簡単にできる農作業機を提供することを目的とする。
【０００５】
【課題を解決するための手段】
請求項１記載の農作業機は、機体と、この機体に回転可能に設けられ、所定方向への回転により圃場の農作物の側方の土を排除すると同時に農作物の所定部位を切断する排土切断体とを具備し、前記排土切断体は、上下方向の回転中心軸線を中心として所定方向に回転する回転部と、この回転部の下端部から、上端から下端に向うに従って徐々に前記回転中心軸線から離反するように斜め下方に向って突出する細長板状の排土部と、この排土部の下端部から、前記回転中心軸線から離反する方向に向って水平状に突出する切断部とを有するものである。
【０００６】
そして、所定方向への回転により圃場の農作物の側方の土を排除すると同時に農作物の所定部位を切断する排土切断体を具備する構成であるから、従来のようにした構成に比べて、構成が簡単になる。
【０００７】
請求項２記載の農作業機は、機体と、この機体に互いに離間対向した状態で回転可能に設けられ、互いに異なる方向への回転により圃場の農作物の側方の土を排除すると同時に農作物の所定部位を切断する左右一対の排土切断体とを具備し、前記排土切断体は、上下方向の回転中心軸線を中心として所定方向に回転する回転部と、この回転部の下端部から、上端から下端に向うに従って徐々に前記回転中心軸線から離反するように斜め下方に向って突出する細長板状の排土部と、この排土部の下端部から、前記回転中心軸線から離反する方向に向って水平状に突出する切断部とを有するものである。
【０００８】
そして、互いに異なる方向への回転により圃場の農作物の側方の土を排除すると同時に農作物の所定部位を切断する左右一対の排土切断体を具備する構成であるから、従来のようにした構成に比べて、構成が簡単になる。
【０００９】
請求項３記載の農作業機は、請求項１または２記載の農作業機において、排土切断体は、左右位置調節可能になっているものである。
【００１０】
そして、排土切断体の左右位置を調節することにより、排土切断体によって圃場の農作物の側方の土を適切に排除することが可能になり、かつ同時に農作物の所定部位を適切に切断することが可能になる。
【００１１】
請求項４記載の農作業機は、請求項１ないし３のいずれかに記載の農作業機において、排土切断体の後方位置で農作物を圃場から地上に持上げ搬送する搬送手段が、機体に設けられているものである。
【００１２】
そして、搬送手段によって排土切断体の後方位置で農作物を圃場から地上に適切に持上げ搬送することが可能になる。
【００１３】
請求項５記載の農作業機は、請求項４記載の農作業機において、機体を支持する接地輪が、圃場の農作物があった部分に接地して移動するようになっているものである。
【００１４】
そして、機体を支持する接地輪が、圃場の農作物があった部分に接地して移動するようになっているので、作業の安定化が図られる。
【００１５】
【発明の実施の形態】
以下、本発明の農作業機の一実施の形態の構成を図面を参照して説明する。
【００１６】
図１および図２において、１は農作業機で、この片側作業型の農作業機１は、例えば走行車としての牽引車であるトラクタＴの後部に脱着可能に装着されて使用される牽引式のねぎ収穫機等で、この農作業機１は、例えばトラクタＴの走行（牽引動作）により圃場Ｈを前方（進行方向Ｘ）に移動しながら、圃場Ｈに生育した細長状の農作物Ｗを圃場Ｈから地上に連続的に持ち上げるものである。
【００１７】
なお、圃場Ｈの農作物Ｗ、すなわち圃場Ｈに生育した収穫対象物である農作物Ｗは、図３に示されるように、例えば圃場Ｈに複数列状に凸設された畝Ｈ1に生育した細長状の長茎野菜、例えば長ねぎ等の根深ねぎで、上下方向に長手方向を有する細長状の本体部（茎葉部）Ｗ1を有し、本体部Ｗ1の下端側が畝Ｈ1内つまり土中に位置し、本体部Ｗ1の下端部から根部Ｗ2が延びている。
【００１８】
そして、農作業機１は、図１および図２に示すように、機体２を備え、この機体２は、トラクタＴの作業機昇降用支持装置である３点リンク機構Ｔ1に走行車連結手段である３点連結手段３を介して連結された固定機枠４を有している。
【００１９】
この固定機枠４には、可動機枠５が連結手段である平行リンク６を介して左右方向に平行移動可能に連結されている。この可動機枠５は、駆動源であるシリンダ７のロッド８の進退に基づく平行リンク６の回動に応じて、円弧を描くように左右方向に平行移動するようになっている。
【００２０】
この可動機枠５の一側部、すなわち例えば進行方向Ｘ左側部（図１では上側）には、トラクタＴからの動力を入力する前後方向の入力軸10が回転可能に設けられ、この入力軸10はトラクタＴのＰＴＯ軸（図示せず）にユニバーサルジョイント等を介して連結されている。
【００２１】
また、可動機枠５の他側部、すなわち例えば進行方向Ｘ右側部には、互いに離間対向した左右一対の支持アームである回動アーム11が、可動機枠５から前方に向って突出した状態で左右方向に回動調節可能に設けられている。
【００２２】
そして、各回動アーム11には、それぞれ、上下方向の回転中心軸線αを中心として所定方向（図示イ方向）に駆動回転することにより、圃場Ｈの畝Ｈ1の農作物Ｗの側方の土（畝側壁形成土）を畝Ｈ1を崩すことで排除すると同時に農作物Ｗの所定部位、例えば根部Ｗ2の所定部分を切断（根切り）する排土切断体12が回転可能に設けられている。
【００２３】
すなわち、機体２の片側部である右側部には、上下方向の回転中心軸線αを中心として互いに異なる方向に同期して駆動回転することにより、圃場Ｈの畝Ｈ1の農作物Ｗの左右両側方の土を畝Ｈ1を崩すことで排除すると同時に農作物Ｗの所定部位、例えば根部Ｗ2の所定部分を切断する左右一対の前処理装置である排土切断体12が、互いに離間対向した状態で回転可能に設けられている。
【００２４】
また、各排土切断体12は、対応する回動アーム11の回動調節により機体２に対して左右位置調節可能になっている。すなわち、左右一対の排土切断体12の離間距離が調節可能になっている。
【００２５】
ここで、各回動アーム11は、基端部が可動機枠５のアーム連結部14に上下方向の回動軸15を介して連結されたアーム部16を有し、このアーム部16の先端部には上下方向に長手方向を有する筒状の保持部17が一体的に設けられ、この保持部17によって排土切断体12が回転可能に吊下げ状態に保持されている。また、この保持部17には農作物Ｗが側方に倒れないよう農作物Ｗを側方から支持してガイドする曲線状のガイド体であるガイド棒18が取付アーム19を介して取り付けられている。
【００２６】
また、アーム部16の基端部には左右一対のボルト取付板21が一体的に突設され、各ボルト取付板21に取付具であるボルト22が螺着により取り付けられている。ボルト取付板21に対するボルト22の取付位置を変えることにより、対応する回動アーム11の回動調節つまり排土切断体12の左右位置調節を行う。
【００２７】
また一方、各排土切断体12は、回転中心軸線αを中心として所定方向（図示イ方向）に駆動回転する上下方向の軸状の回転部25を有し、この回転部25の上下端部を除く部分が、対応する回動アーム11の保持部17内に位置している。
【００２８】
この回転部25の露出した下端部からは、畝Ｈ1の側壁部を切削して畝Ｈ1を崩す複数（例えば２つ）の細長板状の切削刃部である排土部26が、上端から下端に向かうに従って徐々に回転中心軸線αから離反するように斜め下方に向って突出しており、各排土部26の下端部からは、やや細長板状の切断刃部である切断部27が回転中心軸線αから離反する外側方に向って水平状に突出している。
【００２９】
すなわち、例えば金属製の細長い板状部材等にて一体に略Ｌ字状に形成された一対をなす排土機能および切断機能をもった作用板28が、側面視略ハ字状の配置となるように、例えばボルト29にて各回転部25の下端部に脱着可能に取り付けられている。
【００３０】
そして、各作用板28の下端部にて切断部27が構成され、各作用板28の回転部25の下端部から突出した部分にて排土部26が構成されており、切断部27と排土部26とが一体に形成されている。
【００３１】
また、一方の排土切断体12の切断部27の移動領域と他方の排土切断体12の切断部27の移動領域とが重ならないように、一方の排土切断体12と他方の排土切断体12とは所定距離以上の離間距離をもった状態になっている。なお、各排土切断体12の回転部25の上端部は、長孔31を介して伝動ケース32内に挿入されており、各回転部25には入力軸10からの動力が第１伝動手段33を介して伝達される。
【００３２】
さらに、可動機枠５の右側部には、排土切断体12の後方位置で、左右一対のガイド棒18によってくわえ込み位置に呼び込まれるようにガイドされてきた立ち姿勢の農作物Ｗにおける本体部Ｗ1の所定部分（例えば排土切断体12の排土により露出した部分である比較的硬い白い部分）を左右両側からくわえ込むように挟持した後、その本体部Ｗ1の所定部分を挟持した状態で、農作物Ｗを立ち姿勢のまま地上の所定高さ位置まで後ろ斜め上方に持上げ搬送する前下がり傾斜状の挟持コンベヤ41が設けられている。
【００３３】
この挟持コンベヤ41は、操作ハンドル42を回動操作することにより、左右方向の回動軸43を中心として上下方向に回動調節可能になっており、この挟持コンベヤ41の搬送始端の高さ位置（くわえ込み高さ位置）が調節可能になっている。
【００３４】
また、挟持コンベヤ41は、例えば軟質ゴム等にて形成された無端状の左右一対の挟持ベルト44を有し、各挟持ベルト44は複数の回転体、すなわち例えば駆動ローラ45および従動ローラ46に回行可能に巻き掛けられている。一方の挟持ベルト44の搬送始端部と他方の挟持ベルト44の搬送始端部との間には、農作物Ｗを傷付けずにくわえ込み位置でくわえ込むことができるように平面視略三角状の搬入用の空間部48が形成されている。なお、各駆動ローラ45には、入力軸10からの動力が第２伝動手段34を介して伝達される。
【００３５】
さらに、挟持コンベヤ41の搬送終端部には、この挟持コンベヤ41から搬出される農作物Ｗを挟持して一側方である左側方に搬送する補助挟持コンベヤ51が連設されている。
【００３６】
この補助挟持コンベヤ51は、挟持コンベヤ41と同様、例えば軟質ゴム等にて形成された無端状の左右一対の挟持ベルト52を有し、各挟持ベルト52は複数の回転体、すなわち例えば駆動ローラ53および従動ローラ54に回行可能に巻き掛けられている。なお、各駆動ローラ53には、入力軸10からの動力が第２伝動手段34を介して伝達される。
【００３７】
また、可動機枠５の右側部には、排土切断体12の後方位置で、立ち姿勢の農作物Ｗにおける根部Ｗ2の所定部分を先端側の掘取刃57で掘り取った後、農作物Ｗを搬送面58上に載置した状態、すなわち農作物Ｗを搬送面58にて下方から支持した状態で、後ろ斜め上方に持上げ搬送する前下がり傾斜状の載置コンベヤ61が設けられており、この載置コンベヤ61は、挟持コンベヤ41の搬送始端側の下方に配置されている。
【００３８】
この載置コンベヤ61は、例えばロッドコンベヤ62とこのロッドコンベヤ62の搬送始端部に設けられ圃場Ｈの土中を移動する板状の掘取刃57とにて構成されている。
【００３９】
このロッドコンベヤ62は、左右方向の駆動軸63および従動軸64を有し、駆動軸63および従動軸64のそれぞれの両端部には回転体であるスプロケット65が取り付けられている。また、これらスプロケット65には左右一対の回行体であるチェーン66が回行可能に巻き掛けられ、これら左右一対のチェーン66には左右方向の複数のロッド67が等間隔をおいて架け渡され、このロッドコンベヤ62の上面にて搬送面58が構成されている。
【００４０】
なお、駆動軸63には、入力軸10からの動力が第２伝動手段34を介して伝達される。また、排土切断体12の後方位置で農作物Ｗを圃場Ｈから地上に持上げ搬送する持上げ装置である搬送手段70が、例えば挟持コンベヤ41、補助挟持コンベヤ51および載置コンベヤ61等にて構成されている。
【００４１】
また、可動機枠５の右側部（機体２の片側部）には、左右水平方向の回転中心軸線βを中心として所定方向（図示ロ方向）に駆動回転することにより、搬送手段70の挟持コンベヤ41にて搬送中の農作物Ｗの下端部（例えば本体部Ｗ1の下端と切れ残り根部Ｗ2）に付着した付着土Ｓを、下方から除去すると同時に左右両側方から除去する土落し装置である土除去手段71が設けられており、この土除去手段71は、挟持コンベヤ41の中間部の下方に配置されている。
【００４２】
この土除去手段71は、図４に示すように、入力軸10からの動力が第２伝動手段34を介して伝達されて回転中心軸線βを中心として所定方向（図示ロ方向）に駆動回転する１本の左右水平方向の回転軸体72を有し、この回転軸体72の基端側が第２伝動手段34に連結され、この回転軸体72の先端部が自由端部となっている。
【００４３】
そして、この回転軸体72には、挟持コンベヤ41にて搬送中の農作物Ｗの真下の下方位置で回転して農作物Ｗの付着土Ｓを下方から除去する第１土除去体73が、回転軸体72と一体となって駆動回転するように固定して設けられている。
【００４４】
この第１土除去体73は、例えば回転軸体72の外周に固着された円筒状の取付ドラム74を有し、この取付ドラム74の外周面には、農作物Ｗの付着土Ｓの下面側に接触して土除去を行う複数の弾性突起である土除去突起75が外周面全体に分散した状態に取り付けられている。各土除去突起75は、例えば軟質ゴム或いは鉄等の金属材料等にて形成された略逆Ｖ字状をなすもので、取付ドラム74の回転方向に対して所定角度傾斜した状態に取り付けられている。
【００４５】
また、回転軸体72の第１土除去体73が設けられていない部分、例えば第１土除去体73の左右両側の部分には、挟持コンベヤ41にて搬送中の農作物Ｗの左右両側方位置で回転して農作物Ｗの付着土Ｓを両側方から除去する左右一対の第２土除去体77，77が、回転軸体72と一体となって駆動回転するように設けられており、各第２土除去体77は第１土除去体73と回転軸体72の軸方向に近接して並んで位置している。すなわち、第１土除去体73と第２土除去体77とは同軸上に配置され、共通軸線である回転中心軸線βを中心として回転するようになっている。
【００４６】
この各第２土除去体77は、回転軸体72の軸方向に沿ってスライド調節可能になっており、第１土除去体73との距離が調節可能になっている。すなわち、各第２土除去体77は回転軸体72に対して左右位置調節可能になっている。
【００４７】
そして、各第２土除去体77は、左右対称のもので、例えば回転軸体72の外周から径方向に沿って２方向に突出した長手状の取付アーム78を有し、この取付アーム78の長手方向両端部には、農作物Ｗの付着土Ｓの搬送方向に対する側面側に接触して土除去を行う弾性板である土除去板79が取り付けられている。
【００４８】
４つの土除去板79は、それぞれ例えば軟質ゴム等にて矩形板状に形成されたもので、短手方向一端側が取付板部81となっており、短手方向他端側が弾性変形する作用板部82となっている。この取付板部81は、取付アーム78の被取付板部78aに重なり合った状態で脱着可能に取り付けられている。この作用板部82の一方の面である回転方向側の面82aは、回転により農作物Ｗの付着土Ｓを断続的に叩いて農作物Ｗから付着土Ｓを分離除去する。
【００４９】
また、各土除去板79は、この土除去板79の長手方向が回転軸体72の径方向に対して所定角度θ（θは例えば約２０°）だけ傾斜した状態に取り付けられている。すなわち、互いに左右に離間対向した対をなす土除去板79は、略ハ字状（テーパー状）の配置となるように取付アーム78の被取付板部78aに取り付けられている。つまり、互いに左右に離間対向した対をなす土除去板79は、農作物Ｗの本体部Ｗ1との離間距離が所定値以上確保されてこの本体部Ｗ1の損傷が防止されるように、本体部Ｗ1側に向って離間距離が徐々に増大するよう略ハ字状（テーパー状）に配置されている。
【００５０】
さらに、各取付アーム78は、長手方向中央部に円筒状の挿通部84を有し、この挿通部84内に回転軸体72が挿通され、固定具であるボルト85によって取付アーム78が回転軸体72に対して解除可能に固定されている。このボルト85を緩めて取付アーム78の固定を一旦解除し、回転軸体72に対する取付アーム78の固定位置を変えることにより、第２土除去体77の回転軸体72の軸方向に沿ったスライド調節を行う。
【００５１】
さらに、図１および図２に示されるように、可動機枠５には搬送手段70の補助挟持コンベヤ51から搬出される農作物Ｗを一旦貯留する第１載置台である貯留台91が設けられている。また、可動機枠５の左側部には貯留台91に隣接して位置する第２載置台である作業台92が脱着可能に設けられており、この作業台92上に図示しないシートを載せて所定量の農作物Ｗをそのシートで束ねる作業ができるようになっている。
【００５２】
また、可動機枠５の右側部には、機体２を下方から支持する１つのゲージ輪等の接地輪93が回転可能に設けられており、この接地輪93は、排土切断体12の後方つまり載置コンベヤ61の後方に位置し、圃場Ｈの畝Ｈ1の農作物Ｗがあった比較的硬い部分の上面に接地して回転しながら移動するようになっている。また、接地輪93は、操作ハンドル94を回動操作することにより高さ位置調節可能になっている。
【００５３】
さらに、接地輪93は、例えば畝Ｈ1の幅寸法と略等しい軸方向長さ寸法を有する比較的大径の円筒状をなす幅広の接地輪本体95を有し、この接地輪本体95が左右方向の車軸96に取り付けられている。
【００５４】
なお、排土切断体12、ガイド棒18、搬送手段70および土除去手段71等にて作業手段98が構成されており、この作業手段98は、機体２の可動機枠５の左右平行移動により、トラクタＴの後方に位置する非作業状態とトラクタＴの走行部としての車輪である後輪Ｔ2よりも外側方に位置する作業状態とに切換え可能になっている。例えば、作業終了後、農作業機１を倉庫まで運搬する場合等には、作業手段98を可動機枠５の平行移動により非作業状態に切り換えかつ作業台92を可動機枠５から取り外し、トラクタＴ側方への突出量を少なくする。また、３点連結手段３、固定機枠４、平行リンク６、可動機枠５および回動アーム11等にて機体２が構成されている。
【００５５】
次に、上記一実施の形態の動作を説明する。
【００５６】
トラクタＴの走行により、作業手段98が作業状態に設定された農作業機１が圃場Ｈを進行方向Ｘに移動すると、左右一対の回転中の排土切断体12の排土部26にて、畝Ｈ1の左右の側壁部が切削されて畝Ｈ1が崩され、畝Ｈ1に生育した農作物Ｗの左右両側方の土が排除され、農作物Ｗの本体部Ｗ1の略全体が露出した状態になる。
【００５７】
また同時に、左右一対の回転中の排土切断体12の切断部27にて、農作物Ｗの根部Ｗ2の所定部分が切断され、その根部Ｗ2の基端を除く部分が農作物Ｗから分離除去される。
【００５８】
そして、このように前処理された農作物Ｗは、左右一対のガイド棒18によってくわえ込み位置に向けて左右両側からガイドされながら、載置コンベヤ61の掘取刃57で掘り取られた後、載置コンベヤ61および挟持コンベヤ41によって立ち姿勢のまま地上まで持上げ搬送される。
【００５９】
この挟持コンベヤ41による搬送の際には、搬送中の農作物Ｗの下方位置で回転中の第１土除去体73にて農作物Ｗに比較的硬く付着していた付着土Ｓが下方から除去され、また同時に、搬送中の農作物Ｗの左右両側方位置で回転中の左右一対の第２土除去体77にて、農作物Ｗの付着土Ｓが左右両側方から除去される。こうして、搬送手段70の挟持コンベヤ41にて搬送中の農作物Ｗの下端部から付着土Ｓが分離除去され、圃場Ｈ上に落下する。
【００６０】
その後、付着土Ｓが除去された農作物Ｗは、挟持コンベヤ41から補助挟持コンベヤ51に乗り移り、次いで、補助挟持コンベヤ51から貯留台91上に落下し、この貯留台91上に一旦貯留される。
【００６１】
この貯留台91上に所定量の農作物Ｗが貯留された段階で、農作業機１の後ろを追う作業者は、貯留台91上に載った所定量の農作物Ｗを一旦持ち上げ、作業台92上の図示しないシート上に載せかえる。そして、その所定量の農作物Ｗをシートで束ね、このシートで束ねた農作物Ｗを圃場Ｈ上に置いていく。
【００６２】
上記一実施の形態によれば、搬送手段70の前方位置で所定方向に回転して圃場Ｈの農作物Ｗの側方の土を排除すると同時に農作物Ｗの所定部位を切断する排土切断体12を具備する構成であるから、例えば排土体および切断体をそれぞれ別々に設けた構成等に比べて、部品点数を少なくでき、構成を簡単にでき、製造コストを低減できる。
【００６３】
また、排土切断体12の左右位置を農作物Ｗに応じて調節することにより、排土切断体12によって農作物Ｗの側方の土を適切に排除でき、かつ同時に農作物Ｗの所定部位を適切に切断できる。
【００６４】
さらに、機体２を支持する接地輪93が、圃場Ｈの畝Ｈ1の農作物Ｗがあった比較的硬い部分に接地して移動するようになっているので、例えば接地輪93が排土切断体12にて農作物Ｗの側方から排除された膨弱な土に接地して移動するようにした構成等に比べて、機体２が上下に揺動せず、作業の安定化を図ることができる。
【００６５】
また、所定方向に回転して搬送中の農作物Ｗの下端部に付着した付着土Ｓを下方から除去すると同時に側方から除去する土除去手段71を具備する構成であるから、例えば２つの土落しローラおよび土除去ドラムをそれぞれ別々に設けた構成等に比べて、部品点数を少なくでき、構成を簡単にでき、製造コストを低減できる。
【００６６】
また、土除去手段71の第２土除去体77の左右位置を農作物Ｗに応じて調節することにより、第２土除去体77によって農作物Ｗの付着土を側方から適切に除去できる。
【００６７】
なお、農作業機１は、農作物Ｗとしての根深ねぎの収穫に最も適したものであるが、根深ねぎ以外の他の農作物Ｗの収穫にも適用することができる。
【００６８】
また、農作業機１は、トラクタＴの後部に脱着可能に装着して使用する牽引式のものには限定されず、例えばエンジンで駆動する車輪を機体２に設けた自走式のものでもよい。
【００６９】
さらに、農作業機１は、左右一対で２つの排土切断体12を備えた構成には限定されず、例えば左右いずれか１つの排土切断体12のみを備えた構成でもよい。
【００７０】
また、図示しないが、例えば排土切断体12の後方位置で農作物Ｗを圃場Ｈから地上に持上げ搬送する搬送手段70、貯留台91および作業台92を機体２に設けない構成としてもよい。
【００７１】
さらに、一方の排土切断体12の切断部27の移動領域と他方の排土切断体12の切断部27の移動領域とが重ならないようにする構成には限定されず、例えば、一方の排土切断体12の切断部27の移動領域と他方の排土切断体12の切断部27の移動領域とが重なる構成としてもよく、或いは、１つの排土切断体12の切断部27を長くしてこの切断部27が農作物Ｗの一側方から他側方にわたって位置する構成としてもよい。
【００７２】
【発明の効果】
請求項１記載の発明によれば、所定方向への回転により圃場の農作物の側方の土を排除すると同時に農作物の所定部位を切断する排土切断体を具備する構成であるから、従来のようにした構成に比べて、構成を簡単にできる。
【００７３】
請求項２記載の発明によれば、互いに異なる方向への回転により圃場の農作物の側方の土を排除すると同時に農作物の所定部位を切断する左右一対の排土切断体を具備する構成であるから、従来のようにした構成に比べて、構成を簡単にできる。
【００７４】
請求項３記載の発明によれば、排土切断体の左右位置を調節することにより、排土切断体によって圃場の農作物の側方の土を適切に排除でき、かつ同時に農作物の所定部位を適切に切断できる。
【００７５】
請求項４記載の発明によれば、搬送手段によって排土切断体の後方位置で農作物を圃場から地上に適切に持上げ搬送することができる。
【００７６】
請求項５記載の発明によれば、機体を支持する接地輪が、圃場の農作物があった部分に接地して移動するようになっているので、作業の安定化を図ることができる。
【図面の簡単な説明】
【図１】  本発明の農作業機の一実施の形態を示す平面図である。
【図２】  同上農作業機の側面図である。
【図３】  同上農作業機の排土切断体の正面図である。
【図４】  同上農作業機の土除去手段の正面図である。
【符号の説明】
１    農作業機
２    機体
12    排土切断体
25    回転部
26    排土部
27    切断部
70    搬送手段
93    接地輪
Ｈ    圃場
Ｗ    農作物
【図１】
0003723762.tif 000002
【図２】
0003723762.tif 000003
【図３】
0003723762.tif 000004
【図４】
0003723762.tif 000005